(57)【特許請求の範囲】
【請求項１】
鉄骨ラーメン構造の住宅ユニット群から構成された家屋本体に対し、玄関ポーチおよび該玄関ポーチと連続するスペースを覆う延長庇を取付け、
該延長庇が、前記住宅ユニットの天井梁もしくは床梁と同一の梁成の型鋼からなる梁によって構成された骨組を有する複数種類の幅寸法の庇ユニット群からなり、
該庇ユニット群の内側が、家屋本体の下階の天井梁もしくは上階の床梁に固定されるとともに、前記庇ユニット群の外側が柱体もしくは袖壁体によって支持され、
更に、前記庇ユニット群を構成する各庇ユニットが、前記住宅ユニット群を構成する各住宅ユニットと同等の規格寸法を有し、前記庇ユニット群を、前記玄関ポーチから連続する前記住宅ユニット群の各住宅ユニットの桁方向もしくは妻方向に対応するようにして配置することを特徴とする延長庇を有する家屋。
【発明の詳細な説明】
【０００１】
【発明の属する技術分野】
この発明は、延長庇を有する家屋に関するものである。
【０００２】
【従来の技術】
従来の家屋では、玄関ポーチの屋根とカーポートの屋根とは、それぞれ個別のものとして構成されていた。
【０００３】
よって、降雨時や積雪時などに、玄関から車庫へ、または、車庫から玄関へと移動する際に、濡れたり滑ったりするおそれがあった。
【０００４】
そこで、玄関ポーチの屋根とカーポートの屋根とを連続形成することが考えられるが、このような家屋としては、従来、特開平８−３３８１３８号公報等に記載されているものがある。
【０００５】
この公報にかかる家屋では、建物本体に形成した凹所に玄関ユニットを配設し、凹所の玄関ユニットが設けられていない部分を覆うように庇を設けて、玄関ポーチとカーポートの屋根を連続形成させるようにしている。
【０００６】
【発明が解決しようとする課題】
しかしながら、上記公報のものでは、構造上、玄関ポーチとカーポートの屋根を連続形成できるのは、凹所などの入隅部を有する家屋に限定されていた。また、玄関ポーチとカーポートの屋根を支えるため、Ｌ字状の支持体を用意する必要があった。
【０００７】
そこで、本発明の目的は、上記の問題点を解消し、玄関ポーチ部分などに玄関ポーチの屋根とカーポートの屋根とを連続形成することができると共に、玄関ポーチとカーポートの屋根を支えるための支持体を不要化することができる延長庇を有する家屋を提供することにある。
【０００８】
【課題を解決するための手段】
上記課題を解決するために、本発明では、鉄骨ラーメン構造の住宅ユニット群から構成された家屋本体に対し、玄関ポーチおよび該玄関ポーチと連続するスペースを覆う延長庇を取付け、該延長庇が、前記住宅ユニットの天井梁もしくは床梁と同一の梁成の型鋼からなる梁によって構成された骨組を有する複数種類の幅寸法の庇ユニット群からなり、該庇ユニット群の内側が、家屋本体の下階の天井梁もしくは上階の床梁に固定されるとともに、前記庇ユニット群の外側が柱体もしくは袖壁体によって支持され、更に、前記庇ユニット群を構成する各庇ユニットが、前記住宅ユニット群を構成する各住宅ユニットと同等の規格寸法を有し、前記庇ユニット群を、前記玄関ポーチから連続する前記住宅ユニット群の各住宅ユニットの桁方向もしくは妻方向に対応するようにして配置する延長庇を有する家屋を特徴としている。
【０００９】
このように構成された本発明によれば、各庇ユニットの一面が住宅ユニットに接していれば構成することができるため、住宅ユニット群が玄関ポーチ部分などに入隅を有していなくても玄関ポーチとカーポートその他のフリースペースとを連続する延長庇を形成することができる。  
【００１４】
【発明の実施の形態】
以下、本発明の具体的な実施の形態について、図示例と共に説明する。
【００１５】
図１〜図１１は、この発明の実施の形態を示すものである。
【００１６】
まず、構成を説明すると、この実施の形態のものでは、家屋本体１に対し、玄関ポーチａおよびこの玄関ポーチａと連続するカーポートやガーデンポートやその他のフリースペースなどとなるスペースｂを覆う延長庇２を取付ける。
【００１７】
ここで、家屋本体１は、例えば、略箱型の住宅ユニット３を複数組合せて構築されるユニット住宅とする。
【００１８】
住宅ユニット３は、図３に示すように、略矩形状に組合せた床梁４および天井梁５と、これら略矩形状をした床梁４および天井梁５の間を連結する柱６とによりほぼ箱型に形成された鉄骨ラーメン構造を有している。また、図２に示すように、対向する床梁４の間には床小梁が架設され、この床小梁の上部には床根太８を介して床板９が貼設されている。同様に、対向する天井梁５の間には天井根太１１が架設され、この天井根太１１の下部には天井板１２が貼設されている。そして、床板９と天井板１２との間には、内壁パネル１４が設けられて、居室１６のスペースを形成している。また、内壁パネル１４の外側には、外壁部１７が設けられている。
【００１９】
上記家屋本体１に対して延長庇２を取付けるに際し、家屋本体１の下階の天井梁５もしくは上階の床梁４（図２では下階の天井梁５と上階の床梁４は梁成が同一である）と同一の梁成２１の型鋼からなる梁２２を骨組とする矩形枠状の庇ユニット２３を設ける。
【００２０】
この庇ユニット２３の梁２２は、家屋本体１の下階の天井梁５の接合部２５と同様の接合部２６を有している。即ち、下階の天井梁５の接合部２５は固定穴やその他の接合手段を備えている。この固定穴は、例えば、締結ボルトを通すためのボルト穴などとなっている。これに対し、庇ユニット２３の梁２２の接合部２６も、下階の天井梁５の接合部２５と同じ固定穴やその他の接合手段を同じ位置に備えている。例えば、固定穴として、梁長手方向および梁高さ方向に対し下階の天井梁５の固定穴と同一の位置にボルト穴が形成されている。この矩形枠状の庇ユニット２３の対向する梁２２（２２ａ，２２ｂ）の間には庇補強根太４０が架設され、この庇補強根太４０の下部には図２に示すような軒天井パネル４１が貼設されている。なお、後述するように、複数種類の庇ユニット２３を組合せる際などに、隣接する庇ユニット２３間の軒天井パネル４１などに継目が生じた場合には、図示しないガスケットを用いて継目をシールするようにする。更に、庇ユニット２３の上面には、作業者が乗って作業可能な作業板４２が貼設されている。なお、図中、符号２４は庇ユニット２３の上部においてコーナーからコーナーに掛け渡されたブレースであり、庇ユニット２３の強度を更に向上させるものである。
【００２１】
そして、上記延長庇２を、複数種類の幅寸法の庇ユニット２３を組合せてなる庇ユニット群で構成する。
【００２２】
なお、庇ユニット２３は、住宅ユニット３と同等の規格寸法を有するものとして構成する。例えば、住宅ユニット３と同じフルサイズのものや、桁方向（長手方向）に対する寸法が同じものおよび桁方向に対する寸法がハーフサイズのものや、妻方向に対する寸法が同じものおよび妻方向に対する寸法がハーフサイズのものなどを各種用意する。
【００２３】
そして、この庇ユニット群を構成する庇ユニット２３の家屋側（内側）の梁２２（２２ａ）を、家屋本体１の対応する下階の天井梁５（もしくは上階の床梁）に連結固定すると共に、庇ユニット群を構成する庇ユニット２３の外側の梁２２（２２ｂ）を柱体５７もしくは袖壁体５８によって支持させることにより、上記の延長庇２を構成する。
【００２４】
ここで、図１に示すように、玄関ポーチａは、住宅ユニット３の桁側の面に位置している。これに対し、カーポートやガーデンポートやその他のフリースペースなどとなるスペースｂは、住宅ユニット３の妻側の面に玄関ポーチａと連続するように位置している。そのために、延長庇２は、玄関ポーチａ部分を含めて複数の庇ユニット２３を平面視で略Ｌ字状に組合わせている。
【００２５】
なお、この延長庇２は、上記のスペースｂが、家屋本体１の外壁部１７と上記の柱体５７もしくは袖壁体５８との間に２ｍ以上の寸法ｃを有するようになされている。
【００２６】
そして、家屋本体１に延長庇２を取付ける場合、庇ユニット群の梁２２ａのいずれもが、住宅ユニット群のいずれかの天井梁５（または床梁４）と直に固定されているようにする。
【００２７】
この梁２２ａと天井梁５（または床梁４）との連結には、共通の接合部２５，２６を利用する。この際、外壁部１７が一部介在されることによるクリアランスを有して取付けるために、梁長手方向および梁高さ方向に対して同一位置に形成されたボルト穴などの共通の接合部２５，２６間に連結金物２８を介在させ、座金２７とボルト・ナットなどの固定手段２９とを用いて締結固定する。なお、連結金物２８には、図４に示すような桁固定用のものと、図５に示すような妻固定用のものがある。
【００２８】
一方、庇ユニット群を構成する庇ユニット２３の外側の梁２２（２２ｂ）に対する、柱体５７もしくは袖壁体５８の支持は、図６〜図８に示すような柱体５７もしくは図９に示すような袖壁体５８の上端部に取付けられた庇受金物５９とボルト・ナットなどの固定手段６０とを使用する。また、庇受金物５９には、庇ユニット２３の位置決めを行うための位置決めピン６１（図６〜図８参照。なお、図９には図示せず）が設けられている。この柱体５７および袖壁体５８の取付けも、梁２２の接合部２６を利用して行う。
【００２９】
そして、図２、図７、図８に示すように、延長庇２の上に家屋本体１に使用される屋根体と同一断面構造で上面が平面状の屋根体３１を支持する。屋根体３１は、例えば、屋根パネル３２の上にＡＬＣ板３３と防水シート３４とを貼設した構造のものなどとする。図８に示すように、屋根体３１の支持にはスペーサー３６とボルト・ナットなどの固定手段３７とを使用する。なお、スペーサー３６の高さによって、屋根体３１を水平支持するように設定することも、屋根体３１を傾斜支持して水勾配を形成するように設定することも可能である。
【００３０】
更に、図２に示すように、庇ユニット２３に支持される屋根体３１の上面を、家屋本体１の上階の居室１６の床面（床板９）と略同一レベルにしている。なお、図２では、スペーサー３５とスペーサー３６とは、同じ高さ寸法となっており、屋根体３１を水平支持するようになっている。
【００３１】
そして、図２、図７、図１０に示すように、庇ユニット２３の外側の梁２２ｂおよび庇ユニット２３に支持される屋根体３１に、家屋本体１の天井梁５に取付可能な化粧庇４５（図１（ｂ）参照）と同一構造の化粧庇４６が取付けられている。この化粧庇４６は、意匠面を構成する化粧庇本体４７と、化粧庇本体４７の下端部に取付けられた、不燃板からなる軒天井板４８と、化粧庇本体４７の裏面側からほぼ水平方向へ突設された複数本の取付脚部４９とを一体的に備えた構成を有している。この化粧庇４６の取付けには、天井梁５の接合部２５と共通の接合部２６を利用し、取付脚部４９を庇固定金物５０とボルト・ナットなどの固定手段５１とを用いて固定する。
【００３２】
なお、化粧庇本体４７の上端部と屋根体３１の端部との間には、屋根軒樋５５が取付けられる（図８参照）。
【００３３】
次に、この実施の形態の作用について説明する。
【００３４】
庇ユニット２３の骨組に用いられる梁２２が、家屋本体１の下階の天井梁５と同一梁成２１で且つ同様の接合部２５，２６を有しているので、共通の接合部２５，２６を利用することにより、庇ユニット２３を家屋本体１に容易に連結して、家屋本体１と一体感のある、外観の良い延長庇２を構成することができ、この延長庇２の下の空間をカーポートやガーデンポートやその他のフリースペースなどとして利用することが可能となる。また、庇ユニット２３に支持される屋根体３１として家屋本体１に使用する屋根体と同じ構造のものを使用することができる。これにより、庇ユニット２３の屋根体３１の施工を、家屋本体１の屋根体の施工と同様に行うことができる。更に、梁５，２２や屋根体３１などの部材の共用化を図って、製造コストの低減を図ることができる。
【００３５】
次に、庇ユニット２３の骨組を、梁２２を矩形枠状に組合せてユニット状に構成したことにより、庇ユニット２３を家屋本体１と同様に取扱うことができるようになるので、庇ユニット２３の設計効率や生産効率を向上することができる。また、ユニット状に構成したことにより、庇ユニット２３を予め工場で生産して積層状態などにして保管しておき、注文に応じて直ちに現場へ庇ユニット２３を運搬して施工するなどにより、簡単に延長庇２を取付けることができる。そして、ユニット状に構成したことにより、庇ユニット２３は十分な強度を得ることができる。
【００３６】
更に、庇ユニット２３の上面に作業板４２を予め貼設しておくことにより、作業者が作業板４２に乗って容易に作業することが可能となる。
【００３７】
加えて、庇ユニット２３に家屋本体１に取付ける化粧庇４５と同様の化粧庇４６を取付けることができ、これにより、家屋の一体感や外観の向上を図ることができると共に、化粧庇４５，４６などの部材の共用化を図って製造コストを低減することができる。
【００３８】
そして、庇ユニット２３に支持される屋根体３１の上面を、家屋本体１の上階の居室１６の床面（床板９）と略同一レベルにすることにより、庇ユニット２３の上部スペースを、隣接する居室１６などと連続させることができ、居室１６から屋外へ出やすくすることができると共に、手摺りなどを設けることによりバルコニーや屋上緑化スペースなどとして使用することができるようになる。
【００３９】
上記に加え、特に、この実施の形態では、各庇ユニット２３の一面が住宅ユニット３に接していれば構成することができるため、住宅ユニット群が玄関ポーチａの部分などに入隅を有していなくても玄関ポーチａとカーポートその他のフリースペースｂとを連続する延長庇２を形成することができる。よって、降雨時に濡れることなく快適に移動でき、また、冬期の積雪時に凍結がないため安全に移動できる。そして、玄関ポーチａと同形状の庇ユニット群を設けるようにすれば、家屋の一体感や外観向上を図ることができる。更に、延長庇２が、家屋本体１の外壁部１７と柱体５７もしくは袖壁体５８との間に２ｍ以上の寸法ｃを有することにより、カーポートとしても十分余裕のあるスペースを確保することができる。
【００４０】
また、鉄骨ラーメン構造の住宅ユニット群から構成される家屋本体１の天井梁５または床梁４に対して、庇ユニット群を直に固定することができるため、十分な取付強度を確保することができる。
【００４１】
更に、庇ユニット２３が住宅ユニット３と同等の規格寸法を有することにより、庇ユニット２３を住宅ユニット３と同等に取扱うことができるようになり、住宅ユニット３に対して庇ユニット２３を自在に組合せることが可能となる。
【００４２】
例えば、住宅ユニット３および庇ユニット２３は、図１１の表に示すような組合せなどとすることができる。ここで、縦軸の単独設置、玄関部連続設置は、玄関ポーチａとの連続構造の有無を示している。この実施の形態のものは玄関部連続設置の場合に該当する。そして、表中の大きい矩形枠はフルサイズであることを示し、小さい矩形枠はハーフサイズであることを示している。この矩形枠に対して×印を入れた図形は住宅ユニット３を示し、矩形枠のみの図形は庇ユニット２３を示し、矩形枠に斜線を入れた図形は玄関ポーチａ部分の庇ユニット２３を示している。また、黒塗り三角形は玄関入口の位置を示し、白抜き三角形は車庫などの入口の位置を示している。
【００４３】
【発明の効果】
以上説明してきたように、請求項１の発明によれば、各庇ユニットの一面が住宅ユニットに接していれば構成することができるため、住宅ユニット群が玄関ポーチ部分などに入隅を有していなくても玄関ポーチとカーポートその他のフリースペースとを連続する延長庇を形成することができる。  
【図面の簡単な説明】
【図１】（ａ）は本発明の実施の形態の平面図、（ｂ）はその斜視図である。
【図２】図１のＡ−Ａ断面図である。
【図３】庇ユニットの斜視図である。
【図４】桁固定用の連結金物の斜視図である。
【図５】妻固定用の連結金物の斜視図である。
【図６】庇ユニットに対する柱体による支持の様子を示す斜視図である。
【図７】庇ユニットに対する柱体による支持の様子を示す図２と同様の部分拡大断面図である。
【図８】庇ユニットに対する柱体による支持の様子を示す図７と直交する方向から見た部分拡大断面図である。
【図９】庇ユニットに対する袖壁体による支持の様子を示す斜視図である。
【図１０】庇ユニットに対する化粧庇の取付状態を示す斜視図である。
【図１１】住宅ユニットと庇ユニットとの組合せ表である。
【符号の説明】
１    家屋本体
２    延長庇
３    住宅ユニット
４    床梁
５    天井梁
２２  梁
２３  庇ユニット
５７  柱体
５８  袖壁体
ａ    玄関ポーチ
ｂ    スペース
ｃ    寸法
【図１】
0003958976.tif 000002
【図２】
0003958976.tif 000003
【図３】
0003958976.tif 000004
【図４】
0003958976.tif 000005
【図５】
0003958976.tif 000006
【図６】
0003958976.tif 000007
【図７】
0003958976.tif 000008
【図８】
0003958976.tif 000009
【図９】
0003958976.tif 000010
【図１０】
0003958976.tif 000011
【図１１】
0003958976.tif 000012